(57)【要約】      （修正有）【課題】水に茎を浸す状態としながら、水をこぼすことなく容易に取り扱え、かつ搬送できるようにした切り花収納具を提供する。【解決手段】全体がプラスチックフィルムよりなり、相対配置される一対の空気充填スペース３，３を備え、空気充填スペース３，３内に空気が充填されそれぞれが膨らんだ際に、それらの間が密着することで切り花の茎Ｋを挟持する挟持部５とされ、空気充填スペース３，３の下部に挟持部５と連通する貯水部９を備えることを特徴とする切り花収納具である。【選択図】図２
0003146958.tif 000002
【実用新案登録請求の範囲】
【請求項１】
全体がプラスチックフィルムよりなり、
相対配置される一対の空気充填スペースを備え、
前記空気充填スペース内に空気が充填されそれぞれが膨らんだ際に、それらの間が密着することで切り花の茎を挟持する挟持部とされ、
前記空気充填スペースの下部に前記挟持部と連通する貯水部を備える、
ことを特徴とする切り花収納具。
【考案の詳細な説明】
【技術分野】
【０００１】  この考案は、装飾用やプレゼント用として、また、搬送用として用いられる切り花収納具に関する。
【背景技術】
【０００２】  切り花は、水が供給されることでその新鮮な美しさが維持される。そのため、常に茎端を水に浸す状態にしておくことが望ましいが、実際には切り花の購入後の持ち帰り時には水に浸すことができない。また、一輪の切り花を水に浸した状態でプレゼントすることができないとともに、茎を水に浸す状態として壁面等に飾り付けることもできない。さらに、産地より市場に切り花を搬送する途中にも水を十分に供給する必要があり、例えば容器内の水に束ねた茎端を浸すようにしているが、その場合には水こぼれのないように垂直方向として箱内に梱包するので、収納スペース効率が悪いとともに、取り扱いにも手間がかかる問題があった。収納スペース効率が悪いのは、切り花の束の場合には花が上部に位置して広がった状態となるので、それに対応する平面形状を持つ箱体が必要となるからである。例えば、２つの切り花の束を１個の箱体内に納めるにはその大きくなる花部分が２つ並ぶので平面形状のかなり大きな箱体が必要となってしまう。取り扱いに手間のかかるのは、常に箱を垂直方向に維持しながら一個ずつ取り扱わなければないからである。
【考案の開示】
【考案が解決しようとする課題】
【０００３】  この考案では、切り花が、水に茎を浸す状態としながら、水をこぼすことなく容易に取り扱え、かつ、搬送できるようにすることを目的とする。
【課題を解決するための手段】
【０００４】  この考案では、全体がプラスチックフィルムよりなり、相対配置される一対の空気充填スペースを備え、前記空気充填スペース内に空気が充填されそれぞれが膨らんだ際に、それらの間が密着することで切り花の茎を挟持する挟持部とされ、前記空気充填スペースの下部に前記挟持部と連通する貯水部を備えることを特徴とする切り花収納具を提供する。【０００５】  この考案の切り花収納具によれば、茎が貯水部内の水に浸された状態において茎が挟持部により挟持されて固定状態に収納される。その際、挟持部間が密着することで貯水部からの水こぼれが回避される。これにより水こぼれの恐れがなく茎を水に浸した状態にでき、とくに水平状態での切り花の収納形態が可能となって、この収納形態は、その取り扱いや搬送に際して便利なものとなる。
【考案の効果】
【０００６】  この考案によれば、切り花が、水に茎を浸す状態としながら、水をこぼすことなく取り扱え、かつ、搬送できる、装飾用、プレゼント用、さらには搬送用にきわめて便利に使用できる切り花収納具が得られる。
【考案を実施するための最良の形態】
【０００７】  図１はこの考案の切り花収納具の使用時の斜視図、図２は同断面図である。切り花収納具１は全体がプラスチックフィルムよりなり、相対配置されるとともに内部が互いに連通する一対の空気充填スペース３、３を上部に備え、それら空気充填スペース３、３内に空気が充填されそれぞれが膨らんだ際には、それらの間が、密着することで切り花Ｆの茎Ｋを挟持する挟持部５となる。７は逆止弁機能を持つ扁平パイプ形態の空気導入部で、この空気導入部７を介して空気充填スペース３、３内に空気が充填される。空気の充填は空気導入部７内にエアパイプを差し入れることにより行う。空気の充填後にエアパイプが抜かれると、空気導入部７は空気充填スペース３内の充填空気により両側から押圧される状態となって閉じ、逆止弁機能を発揮する。上記空気充填スペース３、３の下部には上記挟持部５と連通する貯水部９が設けられている。【０００８】  図３、図４は上記切り花収納具１の製作を示す図である。１０は扁平パイプ状のフィルム基材であり、まず、図３に示すように、その上縁近傍位置及び中間高さ位置がヒートシールＨ１、Ｈ２され、そのヒートシール時に空気導入部７をその入り口部８が外方に突出するようにして空気充填スペース３内に一体に装着固定する。その際には空気導入部７内に熱圧着しないスペーサーを入れて空気導入部自身がヒートシールにより閉じることがないようにし、ヒートシール後にそのスペーサーを抜き取る。また、ヒートシールＨ１は、係止穴１３の設けられる係止突起部１５部分も一体になされる。【０００９】  上記のようにヒートシールがなされた後、横方向中央位置（点線図示位置）において折り返されることで左側部１０ａが矢印で示すように右側部１０ｂ上に折り畳まれ、図４に示すように、その下縁近傍位置及び側縁近傍位置がヒートシールＨ３、Ｈ４されて切り花収納具１が完成される。空気充填スペース３、３は上記中央の折り返し位置において内部が連通しており、また、折り畳まれた後にヒートシールＨ３、Ｈ４がなされることで、上記空気充填スペース３、３の下部には上記挟持部５と連通する貯水部９が形成される。【００１０】  切り花Ｆは、図４に示す状態においてその茎Ｋが挟持部５間に下端が貯水部９内に到るように差し入れられ、その状態において空気導入部７を介して空気充填スペース３、３内に空気が充填され、さらに挟持部５に水供給パイプが差し入れられて貯水部９への水Ｗの供給がなされる。【００１１】  その状態においては、相対する空気充填スペース３、３が膨らみ互いに密着することで挟持部５に茎Ｋが挟持されて固定され、かつ、その挟持部５が密着していることでそこから貯水部９の水が外部に流出することもない。図１に示すような形態において、切り花収納具１は切り花Ｆと一体にプレゼント品として好適なものなり、プレゼントされた者は切り花Ｆを切り花収納具１から出すことなく、係止穴１３を直接係止したり、また、係止穴１３通した紐を係止して壁面等に飾り付けるようにできる。【００１２】  切り花収納具１は無模様透明のスケルトンタイプとされてもよく、また、適宜のデザイン模様を持つものとされてもよい。【００１３】  搬送用の切り花収納具１の構成も上記実施形態のものと���様であるが、多数本の切り花Ｆを束ねたものを収納するのでその形態は大きなものとなる。図５は搬送用の箱体Ｂ内に２個の切り花収納具１、１が納められた状態を示す略図である。切り花収納具１、１は箱体Ｂ内の両端内の異なる側にそれぞれ配置され用いられ、この箱体Ｂの多数のものがトラック内に水平積載されて搬送される。切り花収納具１が箱体Ｂ内の両端内の異なる側に配置されることで、その大きく広がる花部分も逆側とでき、これにより幅寸法Ｌがあまり大きくならない箱体Ｂによる梱包が可能となる。また、箱体Ｂを常に水平方向とできるので、その取り扱いが容易で、かつ、複数個の箱体Ｂを重ね状態にして持ち運ぶこともできる。【００１４】  上記のように多数本の切り花Ｆの茎Ｋを束ねた状態においては、その部分が挟持部５により押圧状態で挟持されてもどうしてもそれぞれの茎Ｋ間に小さな隙間が残り、そこからの若干の水漏れの恐れがある。図６はその水漏れを防止する構成を示す。２０は水漏れ防止用のインナーバッグで、６個から１０個程度の微細穴２１が下端近傍に設けられている。このインナーバック２０により茎Ｋの束ねた部分を下端側から覆う状態にして貯水部９内に浸すようにする。防止フィルム２０の微細穴２１を通して茎Ｋ部分へ水Ｗが制限されながら導入されることで、茎Ｋ間に到る水量も減少してより確実に水漏れが防止される。使用に際しては、インナーバック２０の上部は挟持部５により茎Ｋに一体に固定される。
【図面の簡単な説明】
【００１５】
【図１】  この考案の切り花収納具の実施形態の使用状態斜視図
【図２】  この考案の切り花収納具の実施形態の使用状態断面図
【図３】  この考案の切り花収納具の実施形態の製作説明図
【図４】  この考案の切り花収納具の実施形態の製作説明図
【図５】  この考案の切り花収納具の実施形態の梱包使用説明略図
【図６】  この考案の切り花収納具の実施形態の水漏れ防止構成説明図
【符号の説明】
【００１６】１    切り花収納具
３    空気充填スペース
５    挟持部
９    貯水部
Ｆ    切り花
Ｋ    茎
【図１】
0003146958.tif 000003
【図２】
0003146958.tif 000004
【図３】
0003146958.tif 000005
【図４】
0003146958.tif 000006
【図５】
0003146958.tif 000007
【図６】
0003146958.tif 000008